(57)【要約】      （修正有）【課題】壁などの対象板と平行に掲示され、収容した賞状、写真、及び絵画を明瞭に見ることができる額縁を提供する。【解決手段】賞状、写真、絵画等の外周を囲む枠材フレーム１と、枠材フレームの内側に配設され、前面となる透明なカバー板と、後面の透明なカバー板の裏面を覆う裏板３とでなり、枠材フレームの裏面には、ビス止めされた裏板保持部材５、及び吊り紐等を通して壁へ吊り掛ける吊金具等の付設物６が設けられ、付設物の嵩高より背の高い磁石７を枠材フレームの四隅部に接着する。吊金具に通した吊り紐が吊り掛けられるフック類を設置し難いホワイトボード又は鉄製素材などの対象板に対して、磁石を用いて掲示することが可能となる。【選択図】図２
0003218249.tif 000002
【実用新案登録請求の範囲】
【請求項１】
賞状、写真、及び絵画等の外周を囲む枠材フレームと、該枠材フレームの内側に配設され、前面となる透明なカバー板と、その後面の該透明なカバー板の裏面を覆う裏板とでなり、枠材フレームの裏面には、ビス止めされた裏板保持部材、及び吊り紐等を通して壁へ吊り掛ける吊金具等の付設物が設けられ、その付設物の嵩高より背の高い磁石を枠材フレームの四隅部に接着し、磁性のある対象板に磁着させて掲示することを特徴とする額縁。
【考案の詳細な説明】
【技術分野】
【０００１】  本考案は、賞状、写真、及び絵画等の展示に給する額縁に関するものである。
【背景技術】
【０００２】  従来から、賞状、写真、及び絵画等を展示するには、額縁が使用され、該額縁は、賞状、写真、及び絵画等の外周を囲む枠材フレームと、該枠材フレームの内側に配設される前面の透明なカバー板と、その後面の該透明なカバー板の裏面を覆う裏板とでなり、透明なカバー板と裏板との間には、賞状、写真、及び絵画等を挟み込み、場合によっては、透明なカバー板と裏板との間に中敷きを用いて、賞状、写真、及び絵画等を中敷きと裏板との間に介在させ、見栄え良くさせて展示がされていた。
額縁を使用して賞状、写真、及び絵画等を展示する際には、枠材フレームの裏面にビス止めされた裏板保持部材（トンボ）を廻して、裏板が枠材フレームから取り外され、そして、透明なカバー板の裏面に賞状、写真、及び絵画等を配置させた上で、再度、裏板で蓋をし、裏板保持部材が廻され、裏板を止めることにする。賞状、写真、及び絵画等が額縁に収容できたら、裏板に軸着された支柱部材を起し使用して額縁が立て掛けられてもよいし、また、吊り紐等を通して壁へ吊り掛ける吊金具が枠材フレームの裏面にビス止めされ、該吊金具をもって、額縁が吊り紐等によって壁へ吊り掛け、掲示されてもよいものである。
【先行技術文献】
【実用新案登録文献】
【０００３】
【実用新案登録文献１】
特開２０１７−１９２４２２
【考案の概要】
【考案が解決しようとする課題】
【０００４】  枠材フレームや、透明なカバー板や、裏板等でなる額縁は、可能のかぎり軽量化し、裏板に軸着された支柱部材で立て掛け易くし、また、枠材フレームの裏面に吊金具がビス止めされて、吊り紐等を通して壁へ吊り掛け易くしたとしても、掲示位置を定めるのに困難し、支持部材による立て掛け中には、支持部材の支持が外れて倒れてしまったり、吊金具に吊り紐等を通して吊り掛ける際には、額縁が左右に傾いてしまい、正しい位置決めをし難い等の難しさがあり、その上、掲示する場所をとらずに整然と整理して、並べ掲示することが困難であった。【０００５】  本考案は、額縁に収容された賞状、写真、及び絵画等を展示する際に、その額縁が場所をとらずに整然と整理されて並べられ、しかも、作業し易くさせる為に、磁石を用いて、壁などの対象板へ、賞状、写真、及び絵画等を収容した額縁が磁着されて掲示できることを目的とするものである。【０００６】  額縁を掲示する際、吊金具に通した吊り紐が吊り掛けられるフック類を設置し難いホワイトボード、又は鉄製素材などの対象板に対しては、磁石を用いて掲示することが可能となり、また、吊金具に通した吊り紐で額縁を掲示する際には、額縁が壁などの対象板に対して傾斜角を呈して掲示保持されるので、額縁に収容された賞状、写真、及び絵画等が見え難くされる点を、磁石が額縁の裏面に設けられ、これで、壁などの対象板に磁着することによって、額縁との傾斜角を呈することなく、壁などの対象板と平行に掲載され、額縁に収容した賞状、写真、及び絵画を明瞭に見ることができるようにする目的である。
【課題を解決するための手段】
【０００７】  賞状、写真、及び絵画等の外周を囲む枠材フレームと、該枠材フレームの内側に配設され、前面となる透明なカバー板と、その後面に該透明なカバー板の裏面を覆う裏板とでなり、枠材フレームの裏面には、ビス止めされた裏板保持部材、及び吊り紐等を通して壁へ吊り掛ける吊金具等の付設物が設けられ、その付設物の嵩高より背の高い磁石を枠材フレームの四隅部に接着し、磁性のある対象板に磁着されて掲示する額縁である。
【考案の効果】
【０００８】  本考案の額縁は、磁石が枠材フレームの四隅部に付設され、しかも、その枠材フレームの裏面に付設される裏板保持部材や、吊金具等の付設物の嵩高よりも背の高い磁石が使用されることによって、壁などの対象板へ掲示をする際に、該対象板へ付設物が当接されて、全ての磁石による磁着を出来なくするようなことがなく、四隅部に付設された磁石によって、正確位置に、且つ安定した磁着をすることが出来、ガタツキのない整然とした掲示をすることが出来ることになる。【０００９】  額縁を掲示する際、吊金具に通した吊り紐が吊り掛けられるフック類を設置し難いホワイトボード又は鉄製素材などの対象板に対しては、磁石を用いることで掲示することが可能となり、吊金具に通した吊り紐で額縁を掲示する際には、額縁が壁などの対象板に対して傾斜角を呈して掲示保持されるので、額縁に収容された賞状、写真、及び絵画等が見え難くされる点を、磁石が額縁の裏面に設けられ、これで、壁などの対象板に磁着されることによって、額縁が前記対象板と傾斜角を呈することなく平行に掲示されるので、額縁に収容した賞状、写真、及び絵画を明瞭に見ることができるようになる。
【図面の簡単な説明】
【００１０】
【図１】  額縁の正面図である。
【図２】  額縁の裏面図である。
【図３】  額縁の隅部分側断面図である。
【考案を実施するための形態】
【００１１】  本考案の額縁は、図１、及び図２に示す如く、賞状、写真、及び絵画等の外周を囲む枠材フレーム１と、該枠材フレームの内側に配設され、前面となる透明なカバー板２と、その後面の該透明なカバー板の裏面を覆う裏板３とでなり、透明なカバー板２と裏板３との間に、賞状、写真、及び絵画等を挟み込み、豪華な見栄えよいものにする為、カバー板２と裏板３との間には中敷き４を設け、該中敷きと裏板３との間に賞状、写真、及び絵画等を挟み込むようにする。
この額縁を使用して、賞状、写真、及び絵画等を展示する際には、該額縁の枠材フレーム１の裏面に、裏板３を外れないように押えるビス止めされた裏板保持部材（トンボ）５と、ビス止めされた吊り紐等を通して壁へ吊り掛ける吊金具６とが設けられ、更に、これら裏板保持部材５、吊金具６等の付設物の嵩高よりも背の高い磁石７を枠材フレーム１の裏面の四隅部１２に接着し、掲示板等、磁性ある対象板に磁着して掲示されることになる。
【００１２】  枠材フレーム１は、木製、合成樹脂製、及びアルミニューム製であって、豪華で見栄え良くする為、表面に凹凸縞模様を刻設し、更には、樹脂フィルムを被包している。そして、枠材フレーム１の裏面内周縁に沿って溝が形成された段部１１を設け、該段部には、透明なカバー板２、中敷き４、及び前記カバー板、中敷き４を覆う裏板３が宛がうよう配される。
透明なカバー板２は、ガラス製、ＰＥＴ樹脂製、アクリル樹脂製、及びポリカーボネート樹脂製が挙げられ、裏板３は、木材の他、コルク材、合板、繊維ボード等の天然素材が用いられる。
枠材フレーム１の裏面には、裏板３を所定位置に押さえ保持する少なくとも上下、左右の４個の裏板保持部材５が回転可能にビス止めされ、また、吊り紐で額縁を壁等へ吊り掛けるための左右、及び上下の少なくとも２個の吊金具６がビスによって固定されている。
【００１３】  枠材フレーム１の裏面の四隅部１２には、その各々に磁石７が接着されており、該磁石は、枠材フレーム１の裏面に付設された裏板保持部材（トンボ）５、吊金具６等、付設物の嵩高より背を高くし、金属板、磁性のあるホワイトボード等の磁性対象板に磁着させる際に、前記付設物の突き当りで、磁石が磁性対象板に当接出来ず、浮いた状態にならざるを得ず、正確で、安定した磁着ができないようなことのないようにする。
よって、磁石による磁着で磁性対象板への掲示に不祥事を生じることがなく、まして、四隅部１２の４点で磁着されるので、安定した正確な確実の位置決めが出来て、掲示を綺麗に出来ることになる。
【００１４】  額縁を掲示する際、吊金具６に通した吊り紐が吊り掛けられるフック類を設置し難いホワイトボード又は鉄製素材などの対象板に対しては、磁石７を用いて掲示することが可能となり、また、吊金具６に通した吊り紐で額縁を掲示する際には、額縁が壁などの対象板に対して傾斜角を呈して掲示保持されるので、額縁に収容された賞状、写真、及び絵画等が見え難くされる点を、磁石７が額縁の裏面に設けられ、これで、壁などの対象板に磁着することによって、額縁の傾斜角を呈することなく、壁などの対象板と平行に掲示され、額縁に収容した賞状、写真、及び絵画を明瞭に見ることができるようになる。
【符号の説明】
【００１５】１        枠材フレーム
１１      段部
１２      四隅部
２        透明なカバー板
３        裏板
４        中敷き
５        裏板保持部材（トンボ）
６        吊金具
７        磁石
【図１】
0003218249.tif 000003
【図２】
0003218249.tif 000004
【図３】
0003218249.tif 000005